(57)【要約】【課題】梱包作業が困難となったり、輸送中などに梱包箱内で製品が暴れたりするおそれのない梱包装置を提供する。【解決手段】段ボール製の梱包箱１０は、直方体形状で、上面と下面にはそれぞれ周囲に４つのフラップを有する。上面の、短辺に沿って設ける内フラップ１１・１２は、先端から距離ａの位置に各々先端と平行に各１つの線状の曲げ部Ｌ１・Ｌ２を設ける。そして、それらの曲げ部で内側に折り曲げてそれら曲げ部の外側に、復元力を有する押え部３０・３１を形成する。これにより、梱包時には、外フラップ１３・１４で内フラップを押さえて押え部の復元力で上緩衝材２２・２３を上から押さえる。そして、梱包箱内に、下緩衝材１７・１８と上緩衝材２２・２３を介して製品２０を収納する。【選択図】        図１
2005001709.tif 000002
【特許請求の範囲】
【請求項１】
梱包箱内に緩衝材を介して製品を収納し、前記梱包箱の内フラップと外フラップを閉じて梱包する梱包装置において、
前記内フラップに曲げ部を設け、その曲げ部で折り曲げて、復元力を有する押え部を形成し、梱包時に前記外フラップで前記内フラップを押さえて前記押え部の復元力で前記緩衝材を介して製品を上から押さえることを特徴とする、梱包装置。
【請求項２】
前記内フラップを折り重ねて前記押え部を形成し得るように前記曲げ部を複数設けることを特徴とする、請求項１に記載の梱包装置。
【請求項３】
前記梱包箱を段ボールで形成することを特徴とする、請求項１または２に記載の梱包装置。
【発明の詳細な説明】
【０００１】
【発明の属する技術分野】
この発明は、例えば、複写機・プリンタ・ファクシミリ等の画像形成装置、その画像形成装置に取り付ける原稿自動読取装置（ＡＤＦ装置）・ステイプラ装置・孔あけ装置・シート折り装置等の周辺機などの製品を輸送するときに、それらの製品を段ボール製等の梱包箱内に緩衝材を介して収納して梱包する梱包装置に関する。
【０００２】
【従来の技術】
従来、この種の梱包装置では、例えば図５に示すな段ボール製の梱包箱１を使用する。梱包箱１は、直方体形状で、上面と下面にはそれぞれ周囲に４つのフラップを有する。図５では、上面の、短辺に沿って設ける内フラップ２Ａ・２Ｂと、長辺に沿って設ける外フラップ３Ａ・３Ｂとをともに開いて示す。下面の４つのフラップは、閉じて組み付けてなる。
【０００３】
図６に示すように、このような梱包箱１内には、まず２つの下緩衝材４Ａ・４Ｂを入れて対向底辺の両角部に各々あてがい配置する。次いで、製品５を挿入して下緩衝材４Ａ・４Ｂの凹部４ａ・４ｂにはめ込み、続いてその製品５に上から凹部６ａ・６ｂをはめ付けて上緩衝材６Ａ・６Ｂを取り付け、梱包箱１内に緩衝材を介して製品５を収納する。その後、梱包箱１の内フラップ２Ａ・２Ｂを閉じてから外フラップ３Ａ・３Ｂを閉じて図７に示すように梱包していた。
【特許文献１】特許第３２３０３０７号公報
【０００４】
【発明が解決しようとする課題】
ところが、このような梱包装置では、梱包箱１や緩衝材の寸法公差を小さくすることが難しいから、図８に示す梱包箱１の収納高さｈや、下緩衝材４Ａ・４Ｂと製品５と上緩衝体６Ａ・６Ｂの積み上げ高さｋがばらつく。そして、図９に示すように、梱包箱１の収納高さｈより積み上げ高さｋの方が高くなると、Ｆの方向に力を加えて押し込みながら内外フラップを閉じなければならず、梱包作業が非常に困難となる。
【０００５】
よって、従来は、最悪の場合でも、図８に示す隙間ｓがゼロになるような寸法に設計し、梱包箱１の収納高さｈより積み上げ高さｋの方が高くならないように設定していた。ところが、逆に梱包箱１の収納高さｈに対し積み上げ高さｋがかなり低くなると、隙間ｓが大きくなって輸送中に梱包箱１内で製品５が暴れる問題があった。
【０００６】
そこで、この発明の第１の目的は、内容物を収納しきれずに梱包作業が困難となったり、輸送中などに梱包箱内で製品が暴れたりするおそれのない梱包装置を提供することにある。
【０００７】
この発明の第２の目的は、梱包箱の収納高さと内容物の積み上げ高さとの差が大きくばらついても、的確に梱包し得る梱包装置を提供することにある。
【０００８】
この発明の第３の目的は、廃棄処分が容易で環境に優しい梱包装置を提供することにある。
【０００９】
【課題を解決するための手段】
そのため、請求項１に記載の発明は、上記第１の目的を達成すべく、梱包箱内に緩衝材を介して製品を収納し、梱包箱の内フラップと外フラップを閉じて梱包する梱包装置において、
内フラップに曲げ部を設け、その曲げ部で折り曲げて、復元力を有する押え部を形成し、梱包時に外フラップで内フラップを押さえて押え部の復元力で緩衝材を介して製品を上から押さえる、ことを特徴とする。
【００１０】
請求項２に記載の発明は、上記第２の目的も達成すべく、請求項１に記載の梱包装置において、内フラップを折り重ねて押え部を形成し得るように曲げ部を複数設ける、ことを特徴とする。
【００１１】
請求項３に記載の発明は、上記第３の目的も達成すべく、請求項１または２に記載の梱包装置において、梱包箱を段ボールで形成する、ことを特徴とする。
【００１２】
【発明の実施の形態】
以下、図面を参照しつつ、この発明の実施の形態につき詳細に説明する。
図１には、この発明による梱包装置を分解して示す。
【００１３】
図中符号１０は、図示例では段ボール製の梱包箱である。梱包箱１０は、直方体形状で、上面と下面にはそれぞれ周囲に４つのフラップを有する。図１では、上面の、短辺に沿って設ける内フラップ１１・１２と、長辺に沿って設ける外フラップ１３・１４とをともに開いて示す。下面の４つのフラップは、閉じて組み付けてなる。
【００１４】
ところで、この発明では、両内フラップ１１・１２の先端から距離ａの位置に各々先端と平行に線状の曲げ部Ｌ１・Ｌ２を設ける。そして、それらの曲げ部Ｌ１・Ｌ２で図中矢示するように内側に折り曲げてそれら曲げ部Ｌ１・Ｌ２の外側に、復元力を有する押え部３０・３１を形成する。
【００１５】
そのような梱包箱１０内には、各々凹部１５・１６を有する下緩衝材１７・１８を入れる。下緩衝材１７・１８は、例えば発泡スチロール等の発泡材を用いてつくり、梱包箱１０内の対向底辺（図示例では長辺）の両角部に各々あてがい配置する。
【００１６】
それから、下緩衝材１７・１８の凹部１５・１６に製品２０をはめ込み、製品２０に上から上緩衝材２２・２３を被せ、製品２０をそれらの凹部２４・２５にはめ付けて取り付け、図２に示す状態とする。
【００１７】
このとき、梱包箱１０の収納高さＨや、下緩衝材１７・１８と製品２０と上緩衝体２２・２３の積み上げ高さＫがばらついたとしても、常に梱包箱１０の収納高さＨを内容物の積み上げ高さＫと等しいかそれより高くなるようにする。
【００１８】
そして、梱包箱１０の内フラップ１１・１２を閉じてから外フラップ１３・１４を閉じ、上から押さえて製品２０を固定し、ガムテープ等で止めて梱包を完了する。これにより、梱包時には、図３に示すように、外フラップ１３・１４で内フラップ１１・１２を押さえて押え部３０・３１の復元力で上緩衝材２２・２３を上から押さえる。そして、梱包箱１０内に、下緩衝材１７・１８と上緩衝材２２・２３を介して製品２０を収納する。
【００１９】
このようにすると、内容物の積み上げ高さＫを梱包箱１０の収納高さＨと等しいかそれ以下となるように設定することで、困難なくフラップを閉じることができ、梱包作業を容易とすることができる。また、押え部３０・３１の復元力で上緩衝材２２・２３を介して製品２０を上から押さえ、輸送中などに梱包箱１０内で製品２０が暴れたりするおそれをなくすことができる。
【００２０】
ところで、上述した例では、各々の内フラップ１１・１２に各１つの曲げ部Ｌ１・Ｌ２を設けたが、曲げ部は、複数設けてもよい。例えば図４に示すように、各々２つの曲げ部Ｌ１とＬ３、Ｌ２とＬ４を設けてそれらの曲げ部Ｌ１〜Ｌ４で順次折り曲げて内フラップ１１・１２を折り重ねて押え部３０・３１を形成し得るようにしてもよい。
【００２１】
このようにすると、梱包箱１０の収納高さＨと内容物の積み上げ高さＫとの差に応じて一折りしたり二折りしたりして適宜曲げ部Ｌ１〜Ｌ４で折り曲げ、押え部３０・３１で上緩衝材２２・２３を介して的確に製品２０を押さえ、輸送中などに梱包箱１０内で製品２０が暴れるおそれをなくすことができる。
【００２２】
【発明の効果】
以上説明したとおり、この発明によれば、内フラップに曲げ部を設け、その曲げ部で折り曲げて、復元力を有する押え部を形成し、梱包時に外フラップで内フラップを押さえて押え部の復元力で緩衝材を介して製品を上から押さえるので、内容物の積み上げ高さを梱包箱の収納高さと等しいかそれ以下となるように設定することで、困難なくフラップを閉じることができ、梱包作業を容易とすることができる。また、押え部の復元力で緩衝材を介して製品を上から押さえ、輸送中などに梱包箱内で製品が暴れたりするおそれをなくすことができる。
【００２３】
請求項２に記載の発明によれば、内フラップを折り重ねて押え部を形成し得るように曲げ部を複数設けるので、内容物の積み上げ高さと、梱包箱の収納高さとの間に大きな差がある場合にも、梱包時に押え部の復元力で緩衝材を介して製品を上から的確に押さえることができる。
【００２４】
請求項３に記載の発明によれば、梱包箱を段ボールで形成するので、廃棄処分が容易で環境に優しい梱包装置を提供することができる。
【図面の簡単な説明】
【図１】この発明による梱包装置の分解斜視図である。
【図２】その梱包装置で製品を包装し、上フラップを閉じて梱包を完了する直前の状態の断面図である。
【図３】その梱包完了状態の断面図である。
【図４】他例である梱包装置の梱包完了状態の断面図である。
【図５】従来の梱包箱の斜視図である。
【図６】その従来の梱包装置で製品を包装し、上フラップを閉じて梱包を完了する直前の状態の断面図である。
【図７】梱包を完了しフラップを閉じた状態の斜視図である。
【図８】梱包箱の収納高さより、内容物の積み上げ高さの方が高い場合の梱包状態断面図である。
【図９】逆に梱包箱の収納高さより、内容物の積み上げ高さの方が低い場合の梱包状態断面図である。
【符号の説明】
１０    梱包箱
１１    内フラップ
１２    内フラップ
１３    外フラップ
１４    外フラップ
１７    下緩衝材
１８    下緩衝材
２０    製品
２２    上緩衝材
２３    上緩衝材
３０    押え部
３１    押え部
Ｌ１    曲げ部
Ｌ２    曲げ部
Ｌ３    曲げ部
Ｌ４    曲げ部
Ｈ    梱包箱の収納高さ
Ｋ    内容物の積み上げ高さ
【図１】
2005001709.tif 000003
【図２】
2005001709.tif 000004
【図３】
2005001709.tif 000005
【図４】
2005001709.tif 000006
【図５】
2005001709.tif 000007
【図６】
2005001709.tif 000008
【図７】
2005001709.tif 000009
【図８】
2005001709.tif 000010
【図９】
2005001709.tif 000011